(57)【要約】【課題】  省電力制御に伴って一部のデバイスに印加される電圧値の変動がしきい値を超えないように制御する。【解決手段】    情報処理装置において、電源制御手段が前記情報処理装置を前記第１の電力供給状態から前記第２の電力供給状態に移行させる場合に、前記電源制御手段は、前記電力供給手段から前記複数のデバイスとは異なる負荷デバイスに電力が供給されるように制御することを特徴とする。【選択図】  図５
2016197324.tif 000002
【特許請求の範囲】
【請求項１】
情報処理装置であって、
複数のデバイスに電力を供給する電力供給手段と、
前記情報処理装置を、前記電力供給手段から前記複数のデバイスに電力が供給される第１の電力供給状態、または、前記複数のデバイスの一部のデバイスへの電力の供給を停止する第２の電力供給状態に移行させる電源制御手段と、を備え、
前記電源制御手段が前記情報処理装置を前記第１の電力供給状態から前記第２の電力供給状態に移行させる場合に、前記電源制御手段は、前記電力供給手段から前記複数のデバイスとは異なる負荷デバイスに電力が供給されるように制御する、
ことを特徴とする情報処理装置。
【請求項２】
前記複数のデバイスは、ハードディスク装置を含み、
前記第２の電力供給状態では、前記ハードディスク装置以外のデバイスへの電力供給が停止される、ことを特徴とする請求項１に記載の情報処理装置。
【請求項３】
前記ハードディスク装置のオン回数又はオフ回数が制限値を超えているかどうかを判断する判断手段をさらに備え、
前記判断手段によって前記ハードディスク装置のオン回数又はオフ回数が前記制限値を超えていると判断された場合、前記電源制御手段は、前記情報処理装置を前記第２の電力供給状態に移行させ、前記判断手段によって前記ハードディスク装置のオン回数又はオフ回数が前記制限値を超えていないと判断された場合、前記電源制御手段は、前記情報処理装置を前記複数のデバイスへの電力の供給が停止される第３の電力供給状態に移行させる、ことを特徴とする請求項１又は２記載の情報処理装置。
【請求項４】
前記電源制御手段が通常状態から前記第２の電力供給状態よりも低電力状態に移行させる場合、前記複数のデバイスのうち、前記一部のデバイスに対して供給される電源を停止するタイミングを遅延させる制御手段を備えることを特徴とする請求項１記載の情報処理装置。
【請求項５】
前記電源制御手段は、前記第２の電力供給状態よりも低電力状態に移行させる際に、所定時間が経過するまで、前記複数のデバイスとは異なる負荷デバイスに電力が供給されるように制御することを特徴とする請求項４記載の情報処理装置。
【請求項６】
前記電源制御手段は、前記第２の電力供給状態よりも低電力状態に移行させる際に、前記一部のデバイスに印加される電圧値が特定値を下回るまで、前記複数のデバイスとは異なる負荷デバイスに電力が供給されるように制御することを特徴とする請求項４記載の情報処理装置。
【請求項７】
前記情報処理装置は、画像形成装置、複合画像形成装置、印刷装置を含むことを特徴とする請求項１乃至６のいずれか１項に記載の情報処理装置。
【請求項８】
情報処理装置の制御方法において、
前記情報処理装置を、電力供給手段から前記複数のデバイスに電力が供給される第１の電力供給状態、または、前記複数のデバイスの一部のデバイスへの電力の供給を停止する第２の電力供給状態に移行させる電源制御工程と、を備え、
前記電源制御工程が前記情報処理装置を前記第１の電力供給状態から前記第２の電力供給状態に移行させる場合に、前記電源制御工程は、前記電力供給手段から前記複数のデバイスとは異なる負荷デバイスに電力が供給されるように制御する、ことを特徴とする情報処理装置の制御方法。
【請求項９】
請求項８に記載の情報処理装置の制御方法をコンピュータに実行させることを特徴とするプログラム。
【発明の詳細な説明】
【技術分野】
【０００１】
本発明は、情報処理装置、情報処理装置の制御方法、及びプログラムに関するものである。
【背景技術】
【０００２】
従来、情報処理装置は非稼動時の消費電力を低下させる目的で数段階の電力制御を行っていた。例えば、ＨＤＤには電源ＯＦＦ／ＯＮ回数が規定されており、情報処理装置では、ＨＤＤの寿命を保護するために、ＨＤＤを含んだシステム部分の電源遮断回数を抑えながら、非稼動時電力を効果的に下げるように電力制御を行う必要がある。
【０００３】
そのため、ＣＰＵは、ＨＤＤの電源ＯＦＦ／ＯＮ回数をカウントし、省電力モードに移行してから一定時間経過しないとＨＤＤの電源をＯＦＦしない構成となっている。具体的には、情報処理装置が非稼働時では、ＨＤＤ電源のＯＦＦ／ＯＮ回数が規定回数を下回っている場合は、ＨＤＤの電源を含むデバイス電源をＯＦＦすることで第１の省電力モードに移行する。ＨＤＤ電源ＯＦＦ／ＯＮ回数が規定回数を上回る場合は、ＨＤＤの電源はＯＮのままでそれ以外の一部のデバイス電源をＯＦＦする第２の省電力モードに移行する。このように、電力の効率化とＨＤＤの寿命による情報処理装置の製品寿命の低減防止を可能とする技術が知られている。
【先行技術文献】
【特許文献】
【０００４】
【特許文献１】特開２００９−９６０４７号公報
【発明の概要】
【発明が解決しようとする課題】
【０００５】
しかしながら、第２の省電力モードでは、電流負荷が軽くなりＨＤＤに供給される電圧が変動する。そのため、ＨＤＤの入力電圧規定を守るために、電力供給装置の出力電流変動による出力電圧変動を抑えなければならない課題がある。
【０００６】
本発明は、上記の課題を解決するためになされたもので、本発明の目的は、省電力制御に伴って一部のデバイスに印加される電圧値の変動がしきい値を超えないように制御できる仕組みを提供することである。
【課題を解決するための手段】
【０００７】
上記目的を達成する本発明の情報処理装置は以下に示す構成を備える。
情報処理装置であって、複数のデバイスに電力を供給する電力供給手段と、前記情報処理装置を、前記電力供給手段から前記複数のデバイスに電力が供給される第１の電力供給状態、または、前記複数のデバイスの一部のデバイスへの電力の供給を停止する第２の電力供給状態に移行させる電源制御手段と、を備え、前記電源制御手段が前記情報処理装置を前記第１の電力供給状態から前記第２の電力供給状態に移行させる場合に、前記電源制御手段は、前記電力供給手段から前記複数のデバイスとは異なる負荷デバイスに電力が供給されるように制御する、ことを特徴とする。
【発明の効果】
【０００８】
本発明によれば、省電力制御に伴って一部のデバイスに印加される電圧値の変動がしきい値を超えないように制御できる。
【図面の簡単な説明】
【０００９】
【図１】情報処理装置を適用するシステムの構成を示す図である。
【図２】画像形成装置の内部構成を示すブロック図である。
【図３】コントローラ部の構成を説明するブロック図を示す。
【図４】情報処理装置の制御方法を説明するフローチャートである。
【図５】情報処理装置の制御方法を説明するフローチャートである。
【図６】情報処理装置の制御方法を説明するフローチャートである。
【図７】情報処理装置の制御方法を説明するフローチャートである。
【図８】情報処理装置の電源供給状態を示すブロック図である。
【図９】情報処理装置の電源供給状態を示すブロック図である。
【図１０】情報処理装置の電源供給状態を示すブロック図である。
【図１１】コントローラ部の電源供給状態を示すタイミングチャートである。
【図１２】コントローラ部の構成を説明するブロック図を示す。
【図１３】情報処理装置の電源供給状態を示すブロック図である。
【図１４】コントローラ部の電源供給状態を示すタイミングチャートである。
【発明を実施するための形態】
【００１０】
次に本発明を実施するための最良の形態について図面を参照して説明する。
＜システム構成の説明＞
〔第１実施形態〕
〔システム構成の説明〕
図１は、本実施形態を示す情報処理装置を適用するシステムの構成を示す図である。本例は、情報処理装置として、電源装置とＨＤＤを搭載する画像形成装置がネットワーク２に接続され、外部のＰＣ５００やプリントサーバ６００と通信可能に接続された例である。なお、情報処理装置には、画像形成装置、複合画像形成装置、印刷装置が含まれる。
【００１１】
図１において、画像形成装置１は、画像入力デバイスであるスキャナ部１０、画像出力デバイスであるプリンタ部２０、ユーザインターフェースである操作部３０、画像形成装置全体を制御するコントローラ部４０を備える。さらに、画像形成装置１に電源を供給するための供給元となるコンセント３、画像形成装置１に電源を供給するためのメインスイッチ５０を備える。
【００１２】
スキャナ部１０は、原稿上の画像を露光走査して得られた反射光をＣＣＤに入力することで画像の情報を電気信号に変換する。さらに電気信号をＲ，Ｇ，Ｂ各色からなる輝度信号に変換し、当該輝度信号を画像データとしてコントローラ部４０に対して出力する。原稿は原稿フィーダ１０１のトレイ１０２にセットされる。ユーザが操作部３０から読み取り開始を指示すると、コントローラ部４０からスキャナ部１０に原稿読み取り指示が与えられる。スキャナ部１０は、この指示を受けると原稿フィーダ１０１のトレイ１０２から原稿を１枚ずつフィードして、原稿の読み取り動作を行う。
【００１３】
プリンタ部２０は、コントローラ部４０から受取った画像データを用紙上に形成する画像形成デバイスである。プリンタ部２０には、異なる用紙サイズ又は異なる用紙向きを選択可能とする複数の用紙カセット２０１、２０２、２０３が設けられている。排紙トレイ２０４には印字後の用紙が排出される。
【００１４】
コントローラ部４０は、画像形成装置１の動作を制御する部位であり、データの送受信、データの変換、電力制御を行う。また、ネットワーク２を経由して、外部のＰＣ５００やプリントサーバ６００と接続されている。
【００１５】
図２は、図１に示した画像形成装置の内部構成を示すブロック図である。
図２において、電源制御部６０は、ＳＷ４１、ＳＷ１１、ＳＷ２１をＯＦＦ／ＯＮ制御することで、コントローラ部４０、スキャナ部１０、プリンタ部２０への電源を供給する。コントローラ部４０において、ＣＰＵ４０１は、ＲＯＭ４０３に記憶された制御プログラム等に基づいて接続中の各種デバイスとのアクセスを統括的に制御すると共に、コントローラ内部で行われる各種処理についても統括的に制御する。
コントローラ電源制御部４０２は、電源制御部６０から供給される電源からコントローラ部４０内部に供給する電源の生成やＯＮ／ＯＦＦの制御を行っている。詳細は、後述の図３にて説明する。ＲＡＭ４０４は、ＣＰＵ４０１が動作するためのシステムワークメモリであり、かつ画像データを一時記憶するためのメモリでもある。このＲＡＭ４０４は、記憶した内容を電源ＯＦＦ後には記憶した内容が消去されてしまうＤＲＡＭにより構成されている。
【００１６】
ＲＯＭ４０３には装置のブートプログラムなどが格納されている。ＨＤＤ４０５はハードディスクドライブであり、システムソフトウェアや画像データを格納することが可能となっている。ＬＡＮコントローラ４０６はＬＡＮ２に接続し、情報の入出力制御を行う。画像処理部４０７は、画像処理を行うためのものであり、ＲＡＭ４０４に記憶された画像データを読み出し、ＪＰＥＧ、ＪＢＩＧなどの拡大または縮小および、色調整などの画像処理を行うことが可能である。画像処理部４０７は、スキャナ部１０から受取った画像データに対して、補正、加工、及び編集を行い、プリンタ部２０に出力する。
【００１７】
図３は、図２に示したコントローラ部４０の構成を説明するブロック図を示す。本実施形態において、コントローラ電源制御部４０２は、複数のデバイスに電源を供給する第１の電力供給状態または、複数のデバイスの一部のデバイスに電源を供給する第２の電力供給状態に遷移させる制御を以下の構成で行う。
図３において、コントローラ電源制御部４０２は、ＳＷ４１１〜ＳＷ４１９をＯＮ／ＯＦＦ制御する。これにより、ＣＰＵ４０１、ＬＡＮコントローラ４０６、画像処理部４０７、ＲＡＭ４０４、ＲＯＭ４０３、操作部３０、ＨＤＤ４０５、疑似負荷４０８への電源制御を行う。ＣＰＵ４０１への供給電源は２系統存在し、後述の省電力状態でも供給するＳＷ４１１で制御される電源と、省電力状態では遮断するＳＷ４１２で制御される電源が存在する。ここで、疑似負荷４０８は、一例としてＳＷ４１９とグラウンド間に固定抵抗を接続した回路で構成される。
なお、本実施形態では、コントローラ電源制御部４０２が第１から第２の電力供給状態に遷移させる場合、変動する電流変化により一部のデバイスに印加される電源電圧の変動を抑える負荷デバイスとして、疑似負荷４０８を備える。コントローラ電源制御部４０２は、疑似負荷４０８に印加される電源のオン／オフをＳＷ４１９を制御して行う。
【００１８】
[処理動作フローの説明]
画像形成装置１が、データを送信するＳＥＮＤ動作を実行する場合は、ユーザが原稿をスキャナ部１０にセットした後、操作部３０の画面を参照しながらボタンを操作することにより、スキャン動作の設定後、動作開始を指示する。
すると、コントローラ部４０の制御下でスキャナ部１０は原稿を光学的に読み取り画像データに変換する。画像データはコントローラ部４０に転送され、画像処理部４０７が転送された画像データの画像処理を施したのち、ＣＰＵ４０１が画像データを一旦ＨＤＤ４０５に保存する。次に、ＣＰＵ４０１は、保存された画像データをあらかじめ操作部３０で指定した送信先にネットワーク２を通して転送するようにＬＡＮコントローラ４０６に指示する。
【００１９】
画像形成装置１がコピー動作を実行する場合は、ユーザが原稿をスキャナ部１０にセットした後、操作部３０の画面を参照しながらボタンを操作することにより、コピー動作の設定後、コピー動作の開始を指示する。コントローラ部４０の制御下でスキャナ部１０は原稿を光学的に読み取り画像データに変換する。画像データはコントローラ部４０に転送され、画像処理部４０７が転送された画像データをプリント用画像フォーマットに変換したのち、ＣＰＵ４０１が画像データをＨＤＤ４０５に一旦保存する。ＣＰＵ４０１はＨＤＤ４０５内の画像データを画像処理部４０７に転送し、画像処理部４０７は画像データをプリンタ部２０に転送する。プリンタ部２０は転送された画像データを記録紙に印字して装置外に排出する。
【００２０】
また、画像形成装置１がプリント動作を実行する場合は、外部ＰＣ５００からユーザがプリントジョブを投入し、プリントサーバ６００、ネットワーク２、ＬＡＮコントローラ４０６を通してプリントジョブが投入される。投入されたプリントジョブは、画像処理部４０７でプリント用画像フォーマットに変換したのち、ＣＰＵ４０１がジョブデータをＨＤＤ４０５に一旦保存する。ＣＰＵ４０１はＨＤＤ４０５内の画像データを画像処理部４０７に転送し、画像処理部４０７は画像データをプリンタ部２０に転送する。コントローラ部４０の制御下でプリンタ部２０では画像データを記録紙に印字して装置外に排出する。
【００２１】
[電力制御の説明]
図４は、本実施形態を示す情報処理装置の制御方法を説明するフローチャートである。本例は、図１に示した画像形成装置１を起動させる場合の電力制御例を示す。
ユーザがメインスイッチ５０をＯＮする（Ｓ１０１）ことで、電源制御部６０がコンセント３から供給される電源から、コントローラ部４０、スキャナ部１０、プリンタ部２０に必要な電源を生成する。そして、コントローラ電源制御部４０２がＳＷ４１、ＳＷ１１、ＳＷ２１をＯＮすることで電源を供給する（Ｓ１０２）。さらに、コントローラ部４０ではコントローラ電源制御部４０２がＣＰＵ４０１、ＲＯＭ４０３、ＲＡＭ４０４、ＨＤＤ４０５、ＬＡＮコントローラ４０６、画像処理部４０７、操作部３０に必要な電源を生成する。そして、コントローラ電源制御部４０２がＳＷ４１１〜ＳＷ４１８をＯＮすることで供給する（Ｓ１０３）（以下、通常動作電力状態と言う）。この時、ＣＰＵ４０１は、ＨＤＤ４０５の電源ＯＦＦ／ＯＮ回数をカウントして（Ｓ１０４）、起動処理を終了する。
【００２２】
図５は、本実施形態を示す情報処理装置の制御方法を説明するフローチャートである。本例は、図１に示した画像形成装置１が通常状態から省電力モードに移行する電力制御例である。画像形成装置１が非稼動状態になってから、ＣＰＵ４０１のタイマ（図示しない）がカウントを開始し（Ｓ２０１）、予めあるいはユーザが設定した時間（以下、省電力移行時間と言う）経過する（Ｓ２０２）。すると、ＣＰＵ４０１は画像形成装置を省電力モード（低電力状態）へ移行させるようにコントローラ電源制御部４０２に指示する（Ｓ２０３）。
この時、ＣＰＵ４０１は、Ｓ１０４でカウントされたＨＤＤ４０５の電源ＯＦＦ／ＯＮ回数が、予め設定されている本体寿命（例えば５年間）の中においてＨＤＤ４０５の電源ＯＦＦ／ＯＮ回数の上限値を超過しているか否かを判断する（Ｓ２０４）。ＨＤＤ４０５の電源ＯＦＦ／ＯＮ回数（オン回数又はオフ回数）の上限値を超過していないとＣＰＵ４０１が判断した場合、Ｓ２０５へ進む。
そして、ＣＰＵ４０１はコントローラ電源制御部４０２にスキャナ部１０、プリンタ部２０、操作部３０、画像処理部４０７、ＨＤＤ４０５の電力供給を遮断して、ＣＰＵ４０１の一部への電力を遮断するように指示する（Ｓ２０５）。この状態を以下、第１の省電力状態と言う。
【００２３】
一方、Ｓ２０４で、ＨＤＤ４０５の電源ＯＦＦ／ＯＮ回数がＨＤＤ４０５の電源ＯＦＦ／ＯＮ回数（オン／オフ回数）の上限値（制限値）を超過すると判断した場合、Ｓ２０６へ進む。そして、ＣＰＵ４０１は省電力移行時間経過後にコントローラ電源制御部４０２に電源制御部６０でスキャナ部１０、プリンタ部２０、操作部３０、画像処理部４０７の電力を遮断するように制御して、ＣＰＵ４０１の一部の電力を遮断するように指示する（Ｓ２０６）。この状態を以下、第２の省電力状態と言う。
さらに、ＣＰＵ４０１は、疑似負荷４０８を接続するようにコントローラ電源制御部４０２にＳＷ４１９をＯＮするように指示する（Ｓ２０７）。この際、コントローラ電源制御部４０２は、疑似負荷ＳＷ制御信号４２０を制御して、ＳＷ４１９をＯＮした後、本処理を終了する。
【００２４】
図６は、本実施形態を示す情報処理装置の制御方法を説明するフローチャートである。本例は、画像形成装置１が第１の省電力モードから復帰する電力制御例である。
ユーザが外部のＰＣ５００からプリントジョブを投入する（Ｓ３０１）ことで、電源制御部６０がコンセント３から供給される電源から、スキャナ部１０、プリンタ部２０に必要な電源を生成し、ＳＷ４１、ＳＷ１１、ＳＷ２１をＯＮすることで電源を供給する。
【００２５】
さらに、コントローラ部４０において、コントローラ電源制御部４０２がＳＷ４１２、ＳＷ４１３、ＳＷ４１４、ＳＷ４１６、ＳＷ４１７、ＳＷ４１８をＯＮする。これにより、ＣＰＵ４０１の一部、ＲＡＭ４０４、ＨＤＤ４０５、ＬＡＮコントローラ４０６、画像処理部４０７、操作部３０に電源を供給する（Ｓ３０２）。この時、ＣＰＵ４０１は、ＨＤＤ４０５の電源ＯＦＦ／ＯＮ回数をカウントして（Ｓ３０３）、本処理を終了する。
【００２６】
図７は、本実施形態を示す情報処理装置の制御方法を説明するフローチャートである。本例は、画像形成装置１が第２の省電力モードから復帰する電力制御例を示す。
ユーザが外部のＰＣ５００からプリントジョブを投入する（Ｓ４０１）ことで、電源制御部６０がコンセント３から供給される電源から、スキャナ部１０、プリンタ部２０に必要な電源を生成し、ＳＷ４１、ＳＷ１１、ＳＷ２１をＯＮすることで電源を供給する。さらに、コントローラ部４０において、コントローラ電源制御部４０２がＳＷ４１２、ＳＷ４１３、ＳＷ４１４、ＳＷ４１６、ＳＷ４１７をＯＮする。これにより、ＣＰＵ４０３の一部、ＲＡＭ４０４、ＬＡＮコントローラ４０６、画像処理部４０７、操作部３０に電源を供給する（Ｓ４０２）。この時、ＣＰＵ４０１は疑似負荷４０８を遮断するようにコントローラ電源制御部４０２にＳＷ４１９をＯＦＦするように指示して（Ｓ４０３）、本処理を終了する。
【００２７】
図８〜図１０は、本実施形態を示す情報処理装置の電源供給状態を示す図である。本例の図８は、図３に示したコントローラ部４０が上記通常動作電力状態に対応し、斜線で示す領域は電源が供給されていない状態を示す。
図８において、コントローラ電源制御部４０２は、電源供給されて起動すると、ＲＯＭ４０３に接続されるＳＷ４１６をＯＮすることで、ＲＯＭ４０３を起動する。これにより、ＣＰＵ４０１が動作するためのブートプログラムが起動する。ここで、ＳＷは１例としてスイッチングＦＥＴなどで構成される。次に、ＣＰＵ４０１とＲＡＭ４０９とＨＤＤ４０５に接続されるＳＷ４１１、ＳＷ４１２、ＳＷ４１５、ＳＷ４１８をＯＮすることで、ＣＰＵ４０１とＲＡＭ４０９とＨＤＤ４０５を起動する。
【００２８】
これにより、ＣＰＵ４０１がＨＤＤ４０５内部に記憶されているＯＳを起動して、ＲＡＭ４０９をシステムワークメモリとする。さらに、ＬＡＮコントローラ４０６、画像処理部４０７、操作部３０に接続されるＳＷ４１３、ＳＷ４１４、ＳＷ４１７をＯＮすることで、ＬＡＮコントローラ４０６、画像処理部４０７、操作部３０を起動する。これにより、投入されるジョブやユーザからの操作部入力命令を処理するスタンバイ状態へと移行する。
【００２９】
この時、ＳＷ４１１〜ＳＷ４１８がＯＮ状態のため、ＣＰＵ４０１、ＬＡＮコントローラ４０６、画像処理部４０７、ＲＡＭ４０４、ＲＯＭ４０３、操作部３０、ＨＤＤ４０５に電源が供給されている状態である。そのため、負荷電流が十分に大きいので、ＣＰＵ４０１は、コントローラ電源制御部４０２に、疑似負荷４０８に接続されるＳＷ４１９をＯＦＦ状態にするように指示する。これにより、コントローラ電源制御部４０２は、疑似負荷ＳＷ制御信号４２０を制御して、ＳＷ４１９をＯＦＦとする。
【００３０】
図９は、図３に示したコントローラ部４０が上記第１の省電力状態（第１の電力供給状態）に対応する。
図５のＳ２０５で第１の省電力状態に移行する時に、コントローラ電源制御部４０２はＲＯＭ４０３、ＨＤＤ４０５、ＬＡＮコントローラ４０６、画像処理部４０７、操作部３０の電力を遮断して、ＣＰＵ４０１の一部の電力を遮断する。この時、ＨＤＤ４０５に供給される電源はＯＦＦされているので、ＣＰＵ４０１は、コントローラ電源制御部４０２に、疑似負荷４０８に接続されるＳＷ４１９をＯＦＦ状態にするように指示する。これにより、コントローラ電源制御部４０２は、疑似負荷ＳＷ制御信号４２０を制御して、ＳＷ４１９をＯＦＦとする。
【００３１】
図１０は、図３に示したコントローラ部４０が上記第２の省電力状態（第２の電力供給状態）に対応する。
図５のＳ２０６で第２の省電力状態に移行する時に、ＣＰＵ４０１はコントローラ電源制御部４０２にＲＯＭ４０３、ＬＡＮコントローラ４０６、画像処理部４０７、操作部３０の電力を遮断して、ＣＰＵ４０１の一部の電力を遮断するように指示する。この時、ＳＷ４１２、ＳＷ４１３、ＳＷ４１４、ＳＷ４１６、ＳＷ４１７がＯＦＦ状態のため、ＣＰＵ４０１の一部、ＬＡＮコントローラ４０６、画像処理部４０７、ＲＯＭ４０３、操作部３０への電源が遮断されている状態である。この例では疑似負荷４０８とハードディスク装置以外（ＨＤＤ４０５）には、電力供給が停止された状態である。
【００３２】
そのため、負荷電流が小さいため、ＨＤＤ４０５に供給される電源は上昇してＨＤＤ４０５の入力電圧規定を超えてしまう可能性がある。そのため、ＣＰＵ４０１は、コントローラ電源制御部４０２に、疑似負荷４０８に接続されるＳＷ４１９をＯＮするように指示する。これにより、コントローラ電源制御部４０２は、疑似負荷ＳＷ制御信号４２０を制御して、ＳＷ４１９をＯＮすることで、負荷電流の変動を抑止する。
【００３３】
[疑似負荷制御の説明]
図１１は。図３に示したコントローラ部４０の電源制御状態を示すタイミングチャートである。本例では、電力制御状態に応じたＨＤＤ４０５に供給される電圧と、疑似負荷４０８の制御の関係を示す。
前記通常動作電力状態では、ＳＷ４１８がＯＮ状態のため、ＨＤＤ４０５に電源電圧が供給される。この時、ＳＷ４１１〜ＳＷ４１８がＯＮ状態のため、ＣＰＵ４０１、ＬＡＮコントローラ４０６、画像処理部４０７、ＲＡＭ４０４、ＲＯＭ４０３、操作部３０、ＨＤＤ４０５に電源が供給されている状態である。そのため、負荷電流が十分に大きいためＨＤＤ４０５に供給される電源電圧はＨＤＤ４０５の入力電圧規定を超えることはない。
【００３４】
次に、前述の第２の省電力状態に移行した時、ＳＷ４１８はＯＮ状態のままのため、ＨＤＤ４０５に電源電圧が供給されたままである。この時のコントローラ部全体での電流負荷が小さいために（破線箇所）、ＨＤＤ４０５への供給電圧が入力規定電圧を超えてしまう可能性がある（破線箇所）。そこで、ＳＷ４１９をＯＮすることで疑似負荷４０８を接続し、電流負荷を大きくすることで、ＨＤＤ４０５への供給電圧が入力規定電圧を超えないように制御する。
【００３５】
以上のことから、簡易な回路構成で、一部のデバイスへの供給電源がＯＮされている時の電流負荷の変動を抑止し、ＨＤＤ４０５の入力規定電圧を守ることが出来る。なお、実施系１において、電流負荷変動を抑止する対象をＨＤＤ４０５としているが、電流負荷変動が発生する任意のデバイスにも適応できる。
【００３６】
〔第２実施形態〕
図１２は、本実施形態を示す情報処理装置の構成を説明するブロック図である。本例では、２つのＨＤＤ４０５，４０９を備えてミラーリング接続される例である。
図１２において、ミラーリングＨＤＤ４０９は、ＨＤＤ４０５と同じデータを格納し、ＨＤＤ４０５が故障した場合にバックアップデータとして記録されている。
図１３は、図１２に示した情報処理装置の電源供給状態を示すブロック図である。本例は、第１実施形態で説明した第２の省電力状態に移行する時の、コントローラ部４０の電力制御状態に対応する。なお、図中の斜線部は、電源が供給されていない情愛を示す。
【００３７】
ＣＰＵ４０１は、コントローラ電源制御部４０２にＨＤＤ４０５、ミラーリングＨＤＤ４０９に接続されるＳＷ４１８、ＳＷ４２０をＯＮ状態のままにするように指示する。それによって、ため、ＨＤＤ４０５、ミラーリングＨＤＤ４０９に電源電圧が供給される。
この時、ＳＷ４１９をＯＦＦにしたままで、疑似負荷４０８を接続しないように制御する。
【００３８】
図１４は、図１３に示す情報処理装置の電力制御状態を示すタイミングチャートである。本例は、ＨＤＤ４０５に供給される電圧と、疑似負荷４０８の制御の関係を示している。
本実施形態では、第１実施形態における図１０と比較して、第２の省電力状態に移行する時に、疑似負荷４０８に流れる負荷電流以上にミラーリングＨＤＤ４０９に電流負荷が発生する。
この時、第１実施形態と比較して、ＣＰＵ４０１は、予めＲＯＭ４０３に設定されているＨＤＤの構成（ＨＤＤ４０５とミラーリングＨＤＤ４０９に接続している）を検知する。すると、ＣＰＵ４０１は、コントローラ電源制御部４０２にＳＷ４１８、ＳＷ４２０をＯＮするように指示する。
【００３９】
これにより、コントローラ電源制御部４０２はＳＷ４１８、ＳＷ４２０をＯＮする。これにより、ＨＤＤに対する電流負荷が２倍になるため、ＨＤＤ４０５、ミラーリングＨＤＤ４０９に供給される電源電圧はＨＤＤ４０５、ミラーリングＨＤＤ４０９の入力電圧の上限規定値を超えることはない。
よって、ＣＰＵ４０１は、疑似負荷４０８を接続するＳＷ４１９をＯＦＦのままにするようにコントローラ電源制御部４０２に指示し、コントローラ電源制御部４０２は、疑似負荷ＳＷ制御信号４２０を制御してＳＷ４１９をＯＦＦのままに制御する。
【００４０】
以上のように、ＨＤＤの構成によって疑似負荷のＯＮ／ＯＦＦを制御することで、必要最小限で疑似負荷を接続することが可能となり、電力の効率化とＨＤＤの寿命による画像形成装置の製品寿命の低減防止を可能とする。
なお、本実施形態において、電流負荷変動を抑止する対象をＨＤＤとしているが、電流負荷変動が発生するデバイスであれば、本発明を適用可能である。
〔第３実施形態〕
なお、各実施形態において、コントローラ電源制御部４０２が通常状態から第２の電力供給状態よりも低電力状態（ＤＥＥＰスリープ状態）に遷移させる場合、複数のデバイスのうち、一部のデバイス（ＨＤＤ４０５）に対して供給される電源を停止するタイミングを遅延させる制御を組み合わせる構成を採用してもよい。
具体的には、第２の電力供給状態よりも低電力状態に遷移させる際に、所定時間が経過するまで、疑似負荷４０８を機能させる状態とするように制御する。あるいは、第２の電力供給状態よりも低電力状態に遷移させる際に、一部のデバイスに印加される電圧値が特定値を下回るまで、疑似負荷４０８を機能させる状態とするように制御する。これにより、ＨＤＤ４０５に規定される電源入力規定を満たすことが可能となる。
【００４１】
本発明は、上述の実施形態の１以上の機能を実現するプログラムを、ネットワーク又は記憶媒体を介してシステムまたは装置に供給し、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００４２】
１０  スキャナ部
２０  プリンタ部
３０  操作部
４０  コントローラ部
５０  メインスイッチ
６０  電源制御部
【図１】
2016197324.tif 000003
【図２】
2016197324.tif 000004
【図３】
2016197324.tif 000005
【図４】
2016197324.tif 000006
【図５】
2016197324.tif 000007
【図６】
2016197324.tif 000008
【図７】
2016197324.tif 000009
【図８】
2016197324.tif 000010
【図９】
2016197324.tif 000011
【図１０】
2016197324.tif 000012
【図１１】
2016197324.tif 000013
【図１２】
2016197324.tif 000014
【図１３】
2016197324.tif 000015
【図１４】
2016197324.tif 000016